(57)【要約】【課題】  構造が簡単で、ドリッパー本体への開閉機構の取付け取り外しが容易で、大量生産が可能なドリッパーを提供する。【解決手段】  底部に貫通孔１１を備えた濾材収納部１２が設けられたドリッパー本体１４と、濾材収納部１２の内側から貫通孔１１に取り外し可能に挿入され、抽出液を落下させる通液口１５が下側に設けられた実質的に筒状のガイド部材１６を備えた開閉機構２０とを有し、ガイド部材１６の外側中間位置に設けられたフランジ２６が濾材収納部１２の底部にシール部材２４を介して接し、かつガイド部材１６のフランジ２６から下部が濾材収納部１２の底部から突出して、ガイド部材１６の外側に形成された雄ねじ２８に雌ねじ２５が螺合して、開閉機構２０がドリッパー本体１４に取り外し可能に取付けられている。【選択図】        図１
0003108056.tif 000002
【実用新案登録請求の範囲】
【請求項１】
底部に貫通孔を備えた実質的に逆円錐台状の濾材収納部、及び該濾材収納部の底部周囲に設けられ該貫通孔を載置面から持ち上げる円筒状の脚部が設けられたドリッパー本体と、
前記濾材収納部の内側から前記貫通孔に取り外し可能に挿入され、抽出液を落下させる通液口が下側に設けられた実質的に筒状のガイド部材、前記通液口を閉塞可能な栓部材、該栓部材を前記通液口に付勢するコイルスプリング、及び前記コイルスプリングの付勢方向とは逆方向に前記栓部材を移動させて前記通液口を開く操作部を備えた開閉機構とを有するドリッパーにおいて、
前記開閉機構の前記ガイド部材の外側中間位置に設けられたフランジが前記濾材収納部の底部にシール部材を介して接し、かつ前記ガイド部材の前記フランジから下部が前記濾材収納部の底部から突出して、前記ガイド部材の外側に形成された雄ねじに雌ねじが螺合して、前記開閉機構が前記ドリッパー本体に取り外し可能に取付けられていることを特徴とするドリッパー。
【請求項２】
請求項１記載のドリッパーにおいて、前記栓部材は、前記通液口を下方から閉塞する栓本体とその上部に設けられた軸部とを有し、しかも該軸部は前記通液口に嵌入しその上側には水平挿入孔を備え、
前記操作部は、前記栓部材を上側に付勢する前記コイルスプリングの上部に配置され前記水平挿入孔に挿入される水平部、及び該水平部の一端に一体的に接続され前記濾材収納部の側壁内側に沿って配置される傾斜部を備える操作ロッドと、前記傾斜部の上端部に取付けられる操作ボタンとを有し、
前記操作ボタンを押し下げて、前記コイルスプリングの付勢力に対抗して前記栓本体を降下させ、前記通液口を開口して前記抽出液を落下させることを特徴とするドリッパー。
【請求項３】
請求項１記載のドリッパーにおいて、前記栓部材は、前記通液口を上方から閉塞する栓本体とその上部に設けられた軸部とを有し、しかも該軸部の下側には水平挿入孔を備え、
前記操作部は、前記栓部材を下方に付勢する前記コイルスプリングの下部に配置され前記水平挿入孔に挿入される水平部、及び該水平部の一端に一体的に接続され前記濾材収納部の側壁内側に沿って配置される傾斜部を備える操作ロッドと、前記傾斜部の上端部に取付けられる操作ボタンとを有し、
前記操作ボタンを引き上げて、前記コイルスプリングの付勢力に対抗して前記栓本体を上昇させ、前記通液口を開口して前記抽出液を落下させることを特徴とするドリッパー。
【考案の詳細な説明】
【技術分野】
【０００１】
本考案は、例えば、挽いたコーヒー豆からコーヒーを入れたり、茶葉にお湯を通してお茶や紅茶を入れる場合等に使用するドリッパーに関する。
【背景技術】
【０００２】
従来のドリッパーは、全体が陶器、磁器、又は耐熱プラスチックで構成され、底に通液口が設けられた円錐台状の濾材収納部を有している。このようなドリッパーを使用して、例えば、コーヒーを入れる場合、１つの容器内にコーヒー液を抽出した後、ドリッパーを他の容器に移そうとすると、濾材収納部内のコーヒーの豆原料や濾紙に含まれているコーヒー液が通液口から雫となって漏れ出すという問題があった。
そこで、特許文献１では、逆円錐台状の濾材収納部の底部分に設けられた通液口に、常時は弾性的に付勢されて抽出液の流下を防ぐ栓部材を設けると共に、この栓部材を開くロッド部材の操作部を濾材収納部の一方側に設けられた把手部の近傍に配置したコーヒードリッパーが開示されている。
【０００３】
【特許文献１】特開２００１−２７５８４０号公報（第１図）
【考案の開示】
【考案が解決しようとする課題】
【０００４】
しかしながら、特許文献１の発明では、濾材収納部を備えたドリッパー本体に栓本体を操作するロッド部材が挿通する複数の貫通孔が設けられており、ドリッパー本体の製造が複雑となると共に、ドリッパー本体からのロッド部材の脱着が困難であった。
本考案はかかる事情に鑑みてなされたもので、構造が簡単で、ドリッパー本体への開閉機構の取付け取り外しが容易で、大量生産が可能なドリッパーを提供することを目的とする。
【課題を解決するための手段】
【０００５】
前記目的に沿う請求項１記載のドリッパーは、底部に貫通孔を備えた実質的に逆円錐台状の濾材収納部、及び該濾材収納部の底部周囲に設けられ該貫通孔を載置面から持ち上げる円筒状の脚部が設けられたドリッパー本体と、
前記濾材収納部の内側から前記貫通孔に取り外し可能に挿入され、抽出液を落下させる通液口が下側に設けられた実質的に筒状のガイド部材、前記通液口を閉塞可能な栓部材、該栓部材を前記通液口に付勢するコイルスプリング、及び前記コイルスプリングの付勢方向とは逆方向に前記栓部材を移動させて前記通液口を開く操作部を備えた開閉機構とを有するドリッパーにおいて、
前記開閉機構の前記ガイド部材の外側中間位置に設けられたフランジが前記濾材収納部の底部にシール部材を介して接し、かつ前記ガイド部材の前記フランジから下部が前記濾材収納部の底部から突出して、前記ガイド部材の外側に形成された雄ねじに雌ねじが螺合して、前記開閉機構が前記ドリッパー本体に取り外し可能に取付けられている。
【０００６】
請求項２記載のドリッパーは、請求項１記載のドリッパーにおいて、前記栓部材は、前記通液口を下方から閉塞する栓本体とその上部に設けられた軸部とを有し、しかも該軸部は前記通液口に嵌入しその上側には水平挿入孔を備え、
前記操作部は、前記栓部材を上側に付勢する前記コイルスプリングの上部に配置され前記水平挿入孔に挿入される水平部、及び該水平部の一端に一体的に接続され前記濾材収納部の側壁内側に沿って配置される傾斜部を備える操作ロッドと、前記傾斜部の上端部に取付けられる操作ボタンとを有し、
前記操作ボタンを押し下げて、前記コイルスプリングの付勢力に対抗して前記栓本体を降下させ、前記通液口を開口して前記抽出液を落下させる。
【０００７】
請求項３記載のドリッパーは、請求項１記載のドリッパーにおいて、前記栓部材は、前記通液口を上方から閉塞する栓本体とその上部に設けられた軸部とを有し、しかも該軸部の下側には水平挿入孔を備え、
前記操作部は、前記栓部材を下方に付勢する前記コイルスプリングの下部に配置され前記水平挿入孔に挿入される水平部、及び該水平部の一端に一体的に接続され前記濾材収納部の側壁内側に沿って配置される傾斜部を備える操作ロッドと、前記傾斜部の上端部に取付けられる操作ボタンとを有し、
前記操作ボタンを引き上げて、前記コイルスプリングの付勢力に対抗して前記栓本体を上昇させ、前記通液口を開口して前記抽出液を落下させる。
【考案の効果】
【０００８】
請求項１〜３記載のドリッパーにおいては、開閉機構のガイド部材の外側中間位置に設けられたフランジが濾材収納部の底部にシール部材を介して接し、かつガイド部材のフランジから下部が濾材収納部の底部から突出して、ガイド部材の外側に形成された雄ねじに雌ねじが螺合して、開閉機構がドリッパー本体に取り外し可能に取付けられているので、ドリッパー本体の貫通孔に挿入したガイド部材の下部に設けられた雄ねじに雌ねじを螺合させるだけでドリッパー本体に開閉機構を装着してドリッパーを製造することができ、また、雄ねじから雌ねじを取り外すだけでドリッパー本体と開閉機構とを簡単に取り外しできる。更に、ドリッパー本体に開閉機構を装着するために、濾材収納部の底部に貫通孔を設けるだけでよいので、構造が簡単であり、大量生産が可能となる。したがって、生産コストも安くなる。
【考案を実施するための最良の形態】
【０００９】
続いて、添付した図面を参照しつつ、本考案を具体化した実施の形態につき説明し、本考案の理解に供する。
ここで、図１は本考案の第１の実施の形態に係るドリッパーの説明図、図２は同ドリッパーの斜視図、図３（Ａ）〜（Ｃ）はそれぞれ同ドリッパーのガイド部材、栓部材、及び操作部の説明図、図４は同ドリッパーの使用状態の説明図、図５は本考案の第２の実施の形態に係るドリッパーの説明図、図６（Ａ）〜（Ｃ）はそれぞれ同ドリッパーのガイド部材、栓部材、及び操作部の説明図、図７は同ドリッパーの使用状態の説明図である。
【００１０】
図１〜図４を参照して、本考案の第１の実施の形態に係るドリッパー１０について説明する。
ドリッパー１０は、底部に貫通孔１１を備え、内部に例えば、濾紙（コーヒーフィルタ）又はステンレス製の茶漉し等の濾材１１ａを収納可能な実質的に逆円錐台状の濾材収納部１２と、濾材収納部１２の底部周囲の下側に連接して設けられ、貫通孔１１を載置面から持ち上げる円筒状の脚部１３が設けられたドリッパー本体１４を有している。
【００１１】
また、ドリッパー１０は、濾材収納部１２の内側から貫通孔１１に取り外し可能にシール状態で取付けられて抽出液を落下させる通液口１５が下側に設けられた実質的に筒状のガイド部材１６と、通液口１５を下方から閉塞可能な栓部材１８と、栓部材１８を通液口１５に付勢するコイルスプリング１７と、コイルスプリング１７の付勢方向とは逆方向、すなわち下方向に栓部材１８を移動させて通液口１５を開く操作部１９とを備えた開閉機構２０を有している。そして、開閉機構２０はドリッパー本体１４に取り外し可能に取付けられている。以下、それぞれについて詳しく説明する。
【００１２】
ドリッパー本体１４には、濾材収納部１２の外側に把手部２１が設けられ、濾材収納部１２の内周上部に濾材収納部１２を上部から覆う蓋２１ａを配置する凹部２１ｂが設けられている。濾材収納部１２、脚部１３、及び把手部２１は、耐熱性のプラスチックで一体的に形成されてドリッパー本体１４を構成している。ドリッパー本体１４は、開閉機構２０を装着するために、濾材収納部１２の底部に貫通孔１５を設けるだけでよいので、濾材収納部１２、脚部１３、及び把手部２１は、構造が簡単で大量生産が可能となり、生産コストも安くなる。なお、濾材収納部１２、脚部１３、及び把手部２１を個別に製造して、それぞれを接合してドリッパー本体１４を形成してもよい。また、ドリッパー本体は、陶器及び磁器等のセラミックで形成してもよい。
【００１３】
図１及び図３（Ａ）に示すように、開閉機構２０のガイド部材１６は、通液口１５が設けられた筒体２２と、筒体２２の上部に取付けられ、濾材収納部１２内に配置される濾材１１ａを載せる載置部材２３と、筒体２２及び貫通孔１１の隙間をシールするシール部材２４と、筒体２２の下部外周に設けた雄ねじ２８に螺合する雌ねじ２５とを有している。通液口１５は、筒体２２の内部に、一部が下方にかけて縮径した逆円錐台形部とその下位置に形成されて該逆円錐台形部の下端直径より大きい内径を有する筒状部とを備え、上下方向に開口している。
【００１４】
筒体２２の外側中間位置には、濾材収納部１２の底部上面に係止されるフランジ２６が設けられ、フランジ２６より上側の筒体２２側部には、１８０度位置で対向する２つの垂直ガイド孔２７が設けられている。また、筒体２２の側部で垂直ガイド孔２７とは異なる位置には、濾材収納部１２内の液体（抽出液）を通液口１５に流下させるための２つの開口部２９が設けられている。筒体２２の上部には、ステンレス製の載置部材２３を取付ける突起３０が複数、例えば３つ設けられている。また、筒体２２の内部、かつ通液口１５の上部、すなわち逆円錐台形部の上端にコイルスプリング１７の下端が配置されている。
【００１５】
載置部材２３は、筒体２２の上部に配置した際に筒体２２の内側に填め込まれるように中央部が下方に折り曲げられて、平面視して実質的に円形となった折曲部３１が形成されている。また、図２に示すように、載置部材２３には、筒体２２の３つの突起３０がそれぞれ嵌入される３つの取付孔３２と、抽出液を流下させる複数、例えば６つの流液孔３３と、操作部１９の傾斜部４０が当接可能な切欠部３４とが設けられている。
【００１６】
シール部材２４は、ゴム板又はゴム製のＯリング等からなって、筒体２２のフランジ２６の下部に装着される。シール部材２４を装着した筒体２２をドリッパー本体１４の貫通孔１１の上方から挿通し、フランジ２６を濾材収納部１２の底部にシール部材２４を介して接して配置し、筒体２２のフランジ２６から下側部を貫通孔１１に挿通させ、濾材収納部１２の底部から突出する筒体の雄ねじ２８に雌ねじ２５を螺合させて、筒体２２がドリッパー本体１４にシール状態で取付けられている。
【００１７】
図１及び図３（Ｂ）に示すように、栓部材１８は、ゴム又は弾力性を有するプラスチックで形成され、通液口１５を下部から閉塞する栓本体３７と、栓本体３７の上部に設けられ、通液口１５に嵌入し、通液口１５と軸心を一致させて配置される棒状の軸部３６とを有している。栓本体３７は、実質的に上部は半球状で下部は円錐台状となって、その上部の曲面が筒体２２の通液口１５に下方から当接して通液口１５を閉塞可能としている。なお、栓本体は、通液口１５を閉塞できればよく、実質的に球状、半球状、及び円錐台状のいずれか１又は２以上を組み合わせた形状であってもよい。また、軸部３６は、直径を小さくするために中央部が切り欠きされ、上側には水平方向に貫通する水平挿入孔３８が設けられている。
【００１８】
図１及び図３（Ｃ）に示すように、操作部１９は、栓部材１８の軸部３６に設けた水平挿入孔３８に水平状態で摺動可能に連結され、コイルスプリング１７の上部に配置される水平部３９と、水平部３９の一端に一体的に接続され、濾材収納部１２の内側の傾斜面に近接して配置される傾斜部４０とを備える操作ロッド４１を有している。操作ロッド４１は、ステンレス製の棒材を曲げて形成されており、傾斜部４０の他端には木製の操作ボタン４２が取付けられている。なお、操作ボタンは、プラスチック又は金属で形成してもよい。また、水平部３９の基部には、水平部３９の垂直方向の動きをガイドする垂直ガイド孔２７の開口幅より大きなストッパー４３が設けられ、水平部３９が垂直ガイド孔２７から筒体２２内に更に深く嵌入するのを防止している。
【００１９】
また、操作ボタン４２の両側には、ピン穴４４が設けられ、両側のピン穴４４に回動可能に装着された断面Ｕ字状の掛止部材４５が取付けられ、ドリッパー本体１４の把手部２１の上部には、操作部１９の掛止部材４５を引っ掛けて掛止する引掛部４６が設けられている。操作ボタン４２を押し下げた際に、掛止部材４５を引掛部４６に掛止することにより、通液口１５を開いた状態で保持することができる。
【００２０】
図２に示すように、ドリッパー本体１４に設けられた凹部２１ｂに配置される蓋２１ａは、濾材収納部１２内に配置される操作ロッド４１の傾斜部４０と接触しないように外側に開口した切欠き４７が設けられている。また、蓋２１ａの上部中央には、把手４８が設けられている。なお、蓋は円形状の板材で形成してもよい。
【００２１】
次に、本考案の第１の実施の形態に係るドリッパー１０を使用して、挽いたコーヒー豆からコーヒーを入れる場合、及びお茶の葉から緑茶を入れる場合について、それぞれ説明する。
まず、図１に示すように、コーヒーカップ５０の上部に、コーヒーカップ５０の開口部５１よりも小さく、かつ、ドリッパー本体１４の脚部１３の外径よりも小さく、脚部１３の内径と実質的に同じか又はより大きい貫通孔５２を備えた載置台５３を設置し、載置台５３の上部にドリッパー１０を載置する。なお、コーヒーカップの外径が、ドリッパー本体１４の脚部１３の内径より小さい場合には、脚部１３内にコーヒーカップの上部を嵌入させて、ドリッパー本体１４の濾材収納部１２の底部をコーヒーカップの上端部に直接載置させてもよい。
【００２２】
図２に示すように、濾材収納部１２内部に濾材（コーヒーフィルタ）１１ａを入れ、濾材１１ａの底部を載置部材２３の上面に載置して、図示しない挽いたコーヒー豆を濾材１１ａ内に入れる。この際には、操作ボタン４２は押し下げられておらず、栓部材１８は、コイルスプリング１７の付勢力によって上方に引き上げられ、栓本体３７によって通液口１５が下方から閉塞されている。この際には、軸部３６の水平挿入孔３８に挿入されている操作ロッド４１の水平部３９は、コイルスプリング１７の付勢によって、ガイド部材１６に設けられた２つの垂直ガイド孔２７の上部に配置されている。この状態で濾材１１ａの上方からお湯を注ぎ、コーヒー液（抽出液）を造る。
【００２３】
数秒経過した（コーヒー液ができた）後、ドリッパー１０の通液口１５を開いた状態に維持させるため、操作ボタン４２を押圧下降して、コイルスプリング１７の付勢力に対抗して栓本体３７を降下させ、通液口１５を開口して抽出液を、コーヒーカップ５０内に落下させる（図４参照）。この際には、操作ロッド４１の水平部３９は、垂直ガイド孔２７を垂直下方向に移動する。また、操作ロッド４１の水平部３９が栓部材１８の軸部３６に設けた水平挿入孔３８内を摺動可能となっているので、操作ロッド４１の下降によって通液口１５の下方に移動する栓部材１８は、実質的に垂直方向に下降する。したがって、栓本体３７の偏摩耗を防止できる。栓部材１８の下降によって通液口１５が開口状態になり、コーヒー液が通液口１５を介してコーヒーカップ５０に注がれる。
【００２４】
ここで、操作ボタン４２の掛止部材４５をドリッパー本体１４の引掛部４６に引っ掛けて、操作ロッド４１を下降状態、すなわち、通液口１５の開口状態を保持することもできる。これにより、操作ボタン４２を指で押圧し続けることなく、通液口１５が開いた状態を維持でき、特に多くのコーヒー液を造る場合、濾材１１ａ内のお湯の量を見ながら、更にお湯を注ぎ続けることで、ドリッパー１０からのコーヒー液の流下を連続的に行うことができるので作業性が良くなる。
【００２５】
コーヒーカップ５０へのコーヒー液の流下が終了した場合、又は、コーヒーカップ５０へのコーヒー液の流下を停止する場合には、操作ボタン４２の掛止部材４５をドリッパー本体１４の引掛部４６から外す、又は、操作ボタン４２から指を離すことにより、コイルスプリング１７に加えられていた力が無くなり、コイルスプリング１７の付勢力によって栓部材１８が上方に移動して栓本体３７によって通液口１５が閉塞される（図１参照）。したがって、ドリッパー１０を別のコーヒーカップや他の場所へ移す場合等に、コーヒーの原料豆や濾材１１ａに含まれているコーヒー液の通液口１５からの漏れ出しを、片手による押圧操作のみで容易に防ぐことができ、作業性及び操作性が良好である。
【００２６】
なお、前記した方法では栓本体３７によって通液口１５を閉塞した状態で濾材１１ａの上方からお湯を注いでコーヒー液を造ったが、操作ボタン４２を押圧下降（操作ボタン４２の掛止部材４５をドリッパー本体１４の引掛部４６に引っ掛けて、通液口１５の開口状態を保持する場合も含む）して栓本体３７を降下させ、通液口１５を開口した状態で濾材１１ａの上方からお湯を注いでコーヒー液をコーヒーカップ５０内に流下させてもよい。コーヒーカップ５０へのコーヒー液の流下が終了した場合には、操作ボタン４２の掛止部材４５をドリッパー本体１４の引掛部４６から外す、又は、操作ボタン４２から指を離すことにより通液口１５を閉塞する。
【００２７】
次に、お茶の葉からお茶を入れる場合について説明する。
まず、濾材収納部１２内部に濾材の一例である図示しないステンレス製の金網を入れ、金網の底部を載置部材２３の上面に載置して、図示しないお茶の葉を金網内に入れる。この際には、操作ボタン４２は押し下げられておらず、栓部材１８は、コイルスプリング１７の付勢力によって上方に引き上げられ、栓本体３７によって通液口１５が閉塞されている。この状態で、金網の上方からお湯を注ぎ、蓋２１ａをドリッパー本体１４の凹部２１ｂに配置して所定時間（例えば、１０秒から３分間程度）蒸らして、お茶（抽出液）を造る。お茶ができた後、ドリッパー１０を湯飲みの上方に配置して、操作ボタン４２を指で押圧下降して、コイルスプリング１７の付勢力に対抗して栓本体１８を降下させ、通液口１５を開口して湯飲みに直接お茶を注ぐ。
【００２８】
また、複数の湯飲みにお茶を注ぐ場合、まずドリッパー１０でお茶を抽出した後、ドリッパー１０を湯飲みの上方に配置して所定量のお茶を流下させる。次ぎに、ドリッパー１０の通液口１５を閉塞した後、他の湯飲みの上部にドリッパー本体１４を配置してお茶を注ぐ。これを繰り返して各湯飲みに流下するお茶の量がほぼ同じになるように注ぎ分ける。更に、お茶を流出し終わったドリッパー１０の濾材収納部１２内にお湯を注いでお茶を造り、同様にして各湯飲みにお茶を注ぐ。これを繰り返すことにより、複数の湯飲みに量及び濃さがほぼ均等に所定量のお茶を注ぐことができる。このように、通液口１５を閉塞してドリッパー１０を各湯飲みに移動させることにより、お茶の葉やお茶の通液口１５からの漏れ出しを防ぐことができる。
【００２９】
図５〜図７を参照して、本考案の第２の実施の形態に係るドリッパー６０について説明する。なお、ドリッパー１０と同一の構成要素については同一の番号を付してその詳しい説明を省略する。
ドリッパー６０は、栓部材６１が、通液口１５を上方から閉塞する栓本体３７と、栓本体３７の上部に設けられ、その下側には水平挿入孔６２が形成された軸部６３とを有し、操作部６４が、栓部材６１を下方に付勢するコイルスプリング１７の下部に配置されて、操作部６４の操作ボタン６５を引き上げて通液口１５を開口し抽出液を落下させる点が、ドリッパー１０と異なっている。以下、詳しく説明する。
【００３０】
図５に示すように、ドリッパー６０は、貫通孔１１を底部に備えた濾材収納部１２、脚部１３、及び把手部２１を備えたドリッパー本体６６を有している。ドリッパー本体６６は、引掛部を有していない点がドリッパー本体１４と異なっている。また、ドリッパー６０は、ガイド部材６８、栓部材６１、及び操作部６４を備えた開閉機構６７を有している。
【００３１】
図５及び図６（Ａ）に示すように、ガイド部材６８は、貫通孔１１にシール状態で取付けられ、内部に通液口１５が設けられた筒体６９を有している。筒体６９の内側上部に筒体６９の内部に収納するコイルスプリング１７を上端で保持する環状の凸部７０が設けられ、この点が筒体２２と異なっている。凸部７０によって、コイルスプリング１７が筒体６９から外れることがなくなる。
【００３２】
図５及び図６（Ｂ）に示すように、栓部材６１は、軸部６３の下部に水平挿入孔６２が設けられ、水平挿入孔６２に挿通された水平部３９をコイルスプリング１７が付勢することによって通液口１５を上部から閉塞するようになっている。
また、図５及び図６（Ｃ）に示すように、操作部６４は、水平部３９及び傾斜部４０を備えた操作ロッド４１と、傾斜部４０の他端に取付けられる操作ボタン６５とを有している。操作部６４は、操作ボタン６５にピン穴が設けられておらず、掛止部材が取付けられていない点が、操作部１９と異なっている。
【００３３】
次に、本考案の第２の実施の形態に係るドリッパー６０の使用方法を、挽いたコーヒー豆からコーヒーを入れる場合について説明する。
まず、コーヒーカップ５０の上部に、コーヒーカップ５０の開口部５１よりも小さく、かつ、ドリッパー本体１４の脚部１３よりも小さい貫通孔５２を備えた載置台５３を設置し、載置台５３の上部にドリッパー６０を配置する（図５参照）。濾材収納部１２内部に濾材（コーヒーフィルタ）１１ａを入れ、濾材１１ａの底部を載置部材２３の上面に載置して、図示しない挽いたコーヒー豆を濾材１１ａ内に入れる。栓部材６１は、コイルスプリング１７の付勢力によって下方に押し下げられ、栓本体３７によって通液口１５が上部から閉塞されている。
【００３４】
この状態で濾材１１ａの上方からお湯を注ぎ、数秒経過してコーヒー液を作製した後、操作ボタン６５を引き上げて、コイルスプリング１７の付勢力に対抗して栓本体３７を上昇させ、通液口１５を開口してコーヒーカップ５０に抽出液を落下させる（図７参照）。なお、操作ボタン６５を引き上げて栓本体３７を上昇させ、通液口１５を開口した状態で濾材１１ａの上方からお湯を注いでコーヒー液をコーヒーカップ５０内に流下させてもよい。
【００３５】
コーヒーカップ５０へのコーヒー液の流下が終了した場合、又は、コーヒーカップ５０へのコーヒー液の流下を停止する場合には、操作ボタン６５から指を離すことにより、コイルスプリング１７に加えられていた力が無くなり、コイルスプリング１７の付勢力によって栓部材６１が下方に移動し、栓本体３７によって通液口１５が閉塞される（図５参照）。
【００３６】
なお、お茶の葉からお茶を入れる場合には、濾材収納部１２内の載置部材２３の上面にステンレス製の金網（濾材）の底部を載置して、お茶の葉を金網内に入れ、濾材の上方からお湯を注ぎ、蓋２１ａをドリッパー本体６６の凹部２１ｂに配置して所定時間（例えば、１０秒から３分間程度）蒸らしてお茶を造り、操作ボタン６５を指で引き上げて、コイルスプリング１７の付勢力に対抗して栓本体３７を上昇させて湯飲みにお茶を注ぐ（図７参照）。お茶を所定量流下させた後は、操作ボタン６５から指を離して、コイルスプリング１７の付勢力によって栓部材６１を下方に移動させ通液口１５を閉塞する（図５参照）。これを繰り返すことにより、複数の湯飲みにお茶を流下させることが可能となる。なお、湯飲みの上部には、載置台を設置しなくてもよい。
【００３７】
本考案は、前記した実施の形態に限定されるものではなく、本考案の要旨を変更しない範囲での変更は可能であり、例えば、前記したそれぞれの実施の形態や変形例の一部又は全部を組み合わせて本考案のドリッパーを構成する場合も本考案の権利範囲に含まれる。
例えば、前記実施の形態のドリッパーにおいて、挽いたコーヒー豆からコーヒーを入れる場合、及びお茶の葉から緑茶を入れる場合について説明したが、紅茶の葉から紅茶を造ることもできる。また、ドリッパー本体には、把手部を設けなくてもよい。
【図面の簡単な説明】
【００３８】
【図１】本考案の第１の実施の形態に係るドリッパーの説明図である。
【図２】同ドリッパーの斜視図である。
【図３】（Ａ）〜（Ｃ）はそれぞれ同ドリッパーのガイド部材、栓部材、及び操作部の説明図である。
【図４】同ドリッパーの使用状態の説明図である。
【図５】本考案の第２の実施の形態に係るドリッパーの説明図である。
【図６】（Ａ）〜（Ｃ）はそれぞれ同ドリッパーのガイド部材、栓部材、及び操作部の説明図である。
【図７】同ドリッパーの使用状態の説明図である。
【符号の説明】
【００３９】
１０：ドリッパー、１１：貫通孔、１１ａ：濾材、１２：濾材収納部、１３：脚部、１４：ドリッパー本体、１５：通液口、１６：ガイド部材、１７：コイルスプリング、１８：栓部材、１９：操作部、２０：開閉機構、２１：把手部、２１ａ：蓋、２１ｂ：凹部、２２：筒体、２３：載置部材、２４：シール部材、２５：雌ねじ、２６：フランジ、２７：垂直ガイド孔、２８：雄ねじ、２９：開口部、３０：突起、３１：折曲部、３２：取付孔、３３：流液孔、３４：切欠部、３６：軸部、３７：栓本体、３８：水平挿入孔、３９：水平部、４０：傾斜部、４１：操作ロッド、４２：操作ボタン、４３：ストッパー、４４：ピン穴、４５：掛止部材、４６：引掛部、４７：切欠き、４８：把手、５０：コーヒーカップ、５１：開口部、５２：貫通孔、５３：載置台、６０：ドリッパー、６１：栓部材、６２：水平挿入孔、６３：軸部、６４：操作部、６５：操作ボタン、６６：ドリッパー本体、６７：開閉機構、６８：ガイド部材、６９：筒体、７０：凸部
【図１】
0003108056.tif 000003
【図２】
0003108056.tif 000004
【図３】
0003108056.tif 000005
【図４】
0003108056.tif 000006
【図５】
0003108056.tif 000007
【図６】
0003108056.tif 000008
【図７】
0003108056.tif 000009